(57)【要約】【課題】金型に応じて水性離型剤と油性離型剤を選択して噴霧することができるスプレイ装置を提供する。【解決手段】ロボットのアームに取付けられたスプレイヘッド４０に、エアブロー用のエア噴出口８１，８２と、水性離型剤用ノズル６８，７８と、油性離型剤用ノズル６９，７９が設けられている。供給機構は、エアブロー用のエアをスプレイヘッド４０のエアブロー導入口５１，５２に供給するエア供給系と、水性離型剤をスプレイヘッド４０の水性離型剤導入口５４に供給する水性離型剤供給系と、油性離型剤をスプレイヘッド４０の油性離型剤導入口５３に供給する油性離型剤供給系と、水性離型剤のためのスプレイエアをスプレイヘッド４０の水性スプレイエア導入口６０，６２に供給する水性スプレイエア供給系と、油性離型剤のためのスプレイエアをスプレイヘッド４０の油性スプレイエア導入口６１，６３に供給する油性スプレイエア供給系などを備えている。【選択図】図３
2014061536.tif 000002
【特許請求の範囲】
【請求項１】
ロボットのアームに取付けるスプレイヘッドと、
該スプレイヘッドにエアと水性離型剤および油性離型剤を供給する供給機構とを有し、
前記スプレイヘッドは、
エアブロー用のエアが供給されるエアブロー導入口と、
前記水性離型剤が供給される水性離型剤導入口と、
前記油性離型剤が供給される油性離型剤導入口と、
前記水性離型剤のためのスプレイ用エアが供給される水性スプレイエア導入口と、
前記油性離型剤のためのスプレイ用エアが供給される油性スプレイエア導入口と、
前記エアブロー導入口に連通するエア噴出口と、
前記水性離型剤導入口に連通する水性離型剤用ノズルと、
前記油性離型剤導入口に連通する油性離型剤用ノズルとを有し、
前記供給機構は、
エアブロー用のエアを前記エアブロー導入口に供給する電磁弁を備えたエアブロー供給系と、
前記水性離型剤のためのスプレイ用エアを前記水性スプレイエア導入口に供給する電磁弁を備えた水性スプレイエア供給系と、
前記油性離型剤のためのスプレイ用エアを前記油性スプレイエア導入口に供給する電磁弁を備えた油性スプレイエア供給系と、
前記各電磁弁を制御するスプレイ制御装置と、
を具備したことを特徴とするスプレイ装置。
【請求項２】
前記スプレイヘッドは、
固定側金型と対向する側に、固定型用の前記エア噴出口と、固定型用の前記水性離型剤用ノズルと、固定型用の前記油性離型剤用ノズルとが配置され、
移動側金型と対向する側に、移動型用の前記エア噴出口と、移動型用の前記水性離型剤用ノズルと、移動型用の前記油性離型剤用ノズルとが配置されたことを特徴とする請求項１に記載のスプレイ装置。
【請求項３】
前記スプレイヘッドは、金型に向けて前記エア噴出口からエアブローを吹付けたのち該金型に向けて前記水性離型剤用ノズルから水性離型剤を噴霧し、該金型に向けて前記エア噴出口からエアブローを吹付けたのち該金型へ向けて前記油性離型剤用ノズルから油性離型剤を噴霧することを特徴とする請求項１または２に記載のスプレイ装置。
【請求項４】
前記スプレイヘッドは、前記金型の高温部に向けて前記油性離型剤用ノズルから油性離型剤を噴霧し、それ以外の金型内面に向けて前記水性離型剤用ノズルから水性離型剤を噴霧することを特徴とする請求項１から３のいずれか１項に記載のスプレイ装置。
【発明の詳細な説明】
【技術分野】
【０００１】
本発明は、例えばダイキャスト成形機や射出成形機等の成形機に使用される離型剤のスプレイ装置に関する。
【背景技術】
【０００２】
ダイキャスト成形機等の成形機では、成形された製品が金型の内面に固着することを防ぐために、適宜のタイミングで金型の内面にスプレイ装置によって離型剤が塗布されている。離型剤は大別して、水性と油性の２種類が知られている。例えば成形時のキャビティ面の温度が比較的低い金型には、コスト的に有利な水性離型剤が使用されている。これに対し温度が高い金型には、コストは高いがキャビティ面への付着性が良好な油性離型剤が使用されている。水性離型剤と油性離型剤とでは、噴霧ノズル（アトマイザー）の構造が異なるため、水性離型剤を用いる金型には水性離型剤専用の噴霧ノズルを備えたスプレイ装置が使用され、油性離型剤を用いる金型には油性離型剤専用の噴霧ノズルを備えたスプレイ装置が使用されている。
【０００３】
また、特許文献１に開示されているように、金型に応じて、ミキシングマニホールドの下部に、脱着交換可能な水性離型剤用のスプレイカセットまたは油性離型剤用のスプレイカセットのいずれか一方を取付けるようにしたスプレイ装置も提案されている。該スプレイ装置では、水性離型剤を用いる金型には水性離型剤用のスプレイカセットをミキシングマニホールドに取付け、油性離型剤を用いる金型には油性離型剤用のスプレイカセットをミキシングマニホールドに取付けている。
【先行技術文献】
【特許文献】
【０００４】
【特許文献１】特開２０１１−１４７９９３号公報
【発明の概要】
【発明が解決しようとする課題】
【０００５】
前記したように従来は、水性離型剤を用いる金型には水性離型剤専用の噴霧ノズルを備えたスプレイ装置が使用され、油性離型剤を用いる金型には油性離型剤専用の噴霧ノズルを備えたスプレイ装置が使用されている。このため金型が変更になるとスプレイ装置を交換する必要が生じることがあり、交換作業に多大な労力と時間を要している。
【０００６】
また特許文献１のように、金型に応じてスプレイカセットを交換する場合でも、その交換作業に要する手間と時間がばかにならない。また金型によっては、例えばコアピンのように高温になりやすい金型の高温部や、キャビティ面のコーナー部のように製品が固着しやすい箇所に油性離型剤を塗布し、それ以外のキャビティ面に水性離型剤を塗布することが望まれることもある。しかし従来のスプレイ装置は１回の成形サイクル中で水性離型剤の噴霧と油性離型剤の噴霧を切換えることができなかった。
【０００７】
従って本発明の目的は、金型に応じて水性離型剤と油性離型剤とを選択して塗布することができるスプレイ装置を提供することにある。
【課題を解決するための手段】
【０００８】
本発明は、ロボットのアームに取付けるスプレイヘッドと、該スプレイヘッドにエアと水性離型剤および油性離型剤を供給する供給機構とを有している。前記スプレイヘッドは、エアブロー用のエアが供給されるエアブロー導入口と、前記水性離型剤が供給される水性離型剤導入口と、前記油性離型剤が供給される油性離型剤導入口と、前記水性離型剤のためのスプレイ用エアが供給される水性スプレイエア導入口と、前記油性離型剤のためのスプレイ用エアが供給される油性スプレイエア導入口と、前記エアブロー導入口に連通するエア噴出口と、前記水性離型剤導入口に連通する水性離型剤用ノズルと、前記油性離型剤導入口に連通する油性離型剤用ノズルとを有している。また前記供給機構は、エアブロー用のエアを前記エアブロー導入口に供給する電磁弁を備えたエアブロー供給系と、前記水性離型剤のためのスプレイ用エアを前記水性スプレイエア導入口に供給する電磁弁を備えた水性スプレイエア供給系と、前記油性離型剤のためのスプレイ用エアを前記油性スプレイエア導入口に供給する電磁弁を備えた油性スプレイエア供給系と、前記各電磁弁を制御するスプレイ制御装置とを具備している。
【０００９】
本発明の１つの実施形態に係る前記スプレイヘッドは、固定側金型と対向する側に、固定型用の前記エア噴出口と、固定型用の前記水性離型剤用ノズルと、固定型用の前記油性離型剤用ノズルとが配置され、移動側金型と対向する側に、移動型用の前記エア噴出口と、移動型用の前記水性離型剤用ノズルと、移動型用の前記油性離型剤用ノズルとが配置されている。
【発明の効果】
【００１０】
本発明のスプレイ装置によれば、金型に応じて水性離型剤と油性離型剤とを選択して塗布することができる。例えばコアピンのように高温になりやすい金型の高温部や、キャビティのコーナー部のように製品が固着しやすい箇所に油性離型剤を塗布し、それ以外のキャビティ面に水性離型剤を塗布するといった使い方もできる。また金型が変更になった場合に、金型に応じて水性離型剤と油性離型剤のいずれか一方を塗布することもできる。
【図面の簡単な説明】
【００１１】
【図１】１つの実施形態に係るスプレイ装置を備えた成形機を模式的に示す側面図。
【図２】図１に示されたスプレイ装置のロボットとスプレイヘッドの斜視図。
【図３】スプレイヘッドの正面図。
【図４】スプレイヘッドの側面図。
【図５】スプレイヘッドの平面図。
【図６】図１に示されたスプレイ装置の供給機構の内部を示す正面図。
【図７】図１に示されたスプレイ装置の動作の一例を示すフローチャート。
【発明を実施するための形態】
【００１２】
以下に本発明の１つの実施形態について、図１から図７を参照して説明する。  
図１は、成形機の一例であるダイキャスト成形機１０を模式的に示している。ダイキャスト成形機１０は、固定ダイプレート１１と、移動ダイプレート１２と、互いに平行に延びる４本のタイバー１３，１４（２本のみ示す）と、ダイプレート駆動機構１５などを含んでいる。ダイプレート駆動機構１５は、移動ダイプレート１２をタイバー１３,１４に沿って水平方向に移動させる機能を有している。このダイキャスト成形機１０は、成形機用コントローラ１６によって制御される。
【００１３】
固定ダイプレート１１に固定側金型２０が取付けられている。移動ダイプレート１２に移動側金型２１が取付けられている。これら金型２０，２１を閉じると、金型２０，２１間に製品（成形品）のためのキャビティ２２が形成される。キャビティ２２は、溶湯通路２３を介して溶湯供給機構（図示せず）に連通している。成形工程において、製品の材料である溶融金属が、キャビティ２２に供給されることにより、ダイキャスト製品が成形される。
【００１４】
このダイキャスト成形機１０は、金型２０，２１の内面（キャビティ面）２０ａ，２１ａに離型剤を塗布するためのスプレイ装置３０を備えている。スプレイ装置３０は、多関節形のロボット３１と、ロボット３１を制御するロボットコントローラ３２と、ロボット３１のアーム３１ａに取付けられたスプレイヘッド４０と、スプレイヘッド４０に離型剤やエア（空気）を供給するための電磁弁等を備えた供給機構４１と、供給機構４１を電気的に制御するスプレイ制御装置４２などを含んでいる。
【００１５】
図２は、ロボット３１とスプレイヘッド４０を示す斜視図である。スプレイヘッド４０はロボット３１のアーム３１ａの先端部に取付けられている。図３はスプレイヘッド４０の正面図、図４はスプレイヘッド４０の側面図、図５はスプレイヘッド４０を上方から見た平面図である。
【００１６】
スプレイヘッド４０は、スプレイヘッド本体であるマニホールド（ミキシングマニホールド）５０を有している。マニホールド５０の一方の側面に、固定型用のエアブロー導入口５１と、移動型用のエアブロー導入口５２と、油性離型剤導入口５３とが設けられている。エアブロー導入口５１，５２には、供給機構４１からエアブロー用のエアが供給される。マニホールド５０の他方の側面に、水性離型剤導入口５４が設けられている。マニホールド５０の内部にはこれら導入口５１，５２，５３，５４にそれぞれ連通する複数の流路（図示せず）が形成されている。
【００１７】
図５に示すようにマニホールド５０の上面には、ロボット３１のアーム３１ａにボルト等によって固定されるアーム取付部５５が設けられている。マニホールド５０の上面の固定型側に、複数（例えば４つ）の固定型用の水性スプレイエア導入口６０と、例えば２つの固定型用の油性スプレイエア導入口６１が１列に並んで配置されている。水性スプレイエア導入口６０には供給機構４１から水性離型剤用のスプレイエアが供給される。油性スプレイエア導入口６１には油性離型剤用のスプレイエアが供給される。
【００１８】
マニホールド５０の上面の移動型側には、複数（例えば４つ）の移動型用の水性スプレイエア導入口６２と、例えば２つの移動型用の油性スプレイエア導入口６３が１列に並んで配置されている。水性スプレイエア導入口６２には供給機構４１から水性離型剤用のスプレイエアが供給される。油性スプレイエア導入口６３には油性離型剤用のスプレイエアが供給される。
【００１９】
マニホールド５０の下面の固定型側に、例えば４本の固定型用のエアブロー導管６５と、例えば４本の固定型用の水性離型剤導管６６と、例えば２本の固定型用の油性離型剤導管６７が設けられている。エアブロー導管６５は、固定型用のエアブロー導入口５１に連通している。水性離型剤導管６６は、固定型用の水性スプレイエア導入口６０に接続されている。油性離型剤導管６７は、固定型用の油性スプレイエア導入口６１に接続されている。水性離型剤導管６６の下端に、水性離型剤用ノズル６８が設けられている。油性離型剤導管６７の下端には、油性離型剤用ノズル６９が設けられている。
【００２０】
マニホールド５０の下面の移動型側に、例えば４本の移動型用のエアブロー導管７５と、例えば４本の移動型用の水性離型剤導管７６（図２に示す）と、例えば２本の移動型用の油性離型剤導管７７が設けられている。エアブロー導管７５は、移動型用のエアブロー導入口５２に連通している。水性離型剤導管７６は、移動型用の水性スプレイエア導入口６２（図５に示す）に接続されている。油性離型剤導管７７は、移動型用の油性スプレイエア導入口６３に接続されている。水性離型剤導管７６の下端に、水性離型剤用ノズル７８が設けられている。油性離型剤導管７７の下端には、油性離型剤用ノズル７９が設けられている。
【００２１】
水性離型剤用ノズル６８，７８は、水性離型剤導管６６，７６を介して水性離型剤導入口５４に連通し、水性離型剤を噴霧するようになっている。油性離型剤用ノズル６９，７９は、油性離型剤導管６７，７７を介して油性離型剤導入口５３に連通し、油性離型剤を噴霧するようになっている。水性離型剤用ノズル６８，７８と油性離型剤用ノズル６９，７９の噴霧量は、それぞれ、マニホールド５０に設けられた噴霧量調整ねじ７０，７１を操作することにより、調整することができるようになっている。
【００２２】
これらの導管６５，６６，６７，７５，７６，７７は、それぞれマニホールド５０の下方に延びている。そして各導管６５，６６，６７，７５，７６，７７は、上下方向の中間部において、支持部材８０によって互いに支持されている。図４に示すように固定型用のエアブロー導管６５の下端部は、固定側金型２０の方向を向くように曲げられ、その先端にエア噴出口８１が開口している。このエア噴出口８１は、エアブロー導入口５１に連通している。移動型用のエアブロー導管７５の下端部は、移動側金型２１の方向を向くように曲げられ、その先端にエア噴出口８２が開口している。このエア噴出口８２は、エアブロー導入口５２に連通している。
【００２３】
図６は、水性離型剤および油性離型剤とエアをスプレイヘッド４０に供給するための供給機構４１を示している。この供給機構４１は、筐体であるバルブボックス９０と、バルブボックス９０の内部に配置されたエア供給系９１と、水性離型剤供給系９２と、油性離型剤供給系９３などを有している。バルブボックス９０には、開閉可能な扉（図示せず）が設けられている。
【００２４】
エア供給系９１には、図６の下部に示されているエア供給管路１００を介して、圧縮空気の供給源１０１が接続されている。このエア供給系９１は、電磁弁１０２を備えた第１のエアブロー供給管１０３と、電磁弁１０４を備えた第２のエアブロー供給管１０５とを有している。一方の電磁弁１０２とエアブロー供給管１０３とは、エアブロー用のエアを前記エアブロー導入口５１に供給するための第１のエアブロー供給系を構成している。他方の電磁弁１０４とエアブロー供給管１０５とは、エアブロー用のエアを前記エアブロー導入口５２に供給するための第２のエアブロー供給系を構成している。
【００２５】
また前記エア供給系９１は、減圧弁１１０を備えた水性離型剤用のエア供給管１１１と、減圧弁１１２を備えた油性離型剤用のエア供給管１１３とを含んでいる。水性離型剤用のエア供給管１１１は、電磁弁１１５を備えた第１の水性スプレイエア供給管１１６と、電磁弁１１７を備えた第２の水性スプレイエア供給管１１８とに分岐している。一方の電磁弁１１５と第１の水性スプレイエア供給管１１６とは、水性離型剤のためのスプレイ用エアを前記水性スプレイエア導入口６０に供給するための第１の水性スプレイエア供給系を構成している。他方の電磁弁１１７と第２の水性スプレイエア供給管１１８とは、水性離型剤のためのスプレイ用エアを前記水性スプレイエア導入口６２に供給するための第２の水性スプレイエア供給系を構成している。
【００２６】
エア供給系９１の一部である油性離型剤用のエア供給管１１３は、電磁弁１２０を備えた第１の油性スプレイエア供給管１２１と、電磁弁１２２を備えた第２の油性スプレイエア供給管１２３とに分岐している。一方の電磁弁１２０と第１の油性スプレイエア供給管１２１とは、油性離型剤のためのスプレイ用エアを前記油性スプレイエア導入口６１に供給するための第１の油性スプレイエア供給系を構成している。他方の電磁弁１２２と第２の油性スプレイエア供給管１２３とは、油性離型剤のためのスプレイ用エアを前記油性スプレイエア導入口６３に供給するための第２の油性スプレイエア供給系を構成している。これらの電磁弁１０２，１０４，１１５，１１７，１２０，１２２は、スプレイ制御装置４２によって開閉が制御される。
【００２７】
水性離型剤供給系９２には、図６においてバルブボックス９０の下部に接続される水性離型剤供給管路１３０を介して、水性離型剤の供給源１３１が接続されている。この水性離型剤供給系９２は、減圧弁１３２と、水性離型剤供給管１３３とを有している。油性離型剤供給系９３には、油性離型剤供給管路１４０を介して、油性離型剤の供給源１４１が接続されている。この油性離型剤供給系９３は、減圧弁１４２と、流量検出器１４３と、油性離型剤供給管１４４とを有している。
【００２８】
前記エアブロー供給管１０３，１０５と、水性スプレイエア供給管１１６，１１８と、油性スプレイエア供給管１２１，１２３と、水性離型剤供給管１３３と、油性離型剤供給管１４４は、バルブボックス９０の上部に接続されたカバー管１５０内に挿入され、前記ロボット３１に設けられたスプレイヘッド４０へと導かれている。
【００２９】
前記第１のエアブロー供給管１０３は、スプレイヘッド４０に設けられた固定型用のエアブロー導入口５１に接続されている。第２のエアブロー供給管１０５は、移動型用のエアブロー導入口５２に接続されている。
【００３０】
前記第１の水性スプレイエア供給管１１６は、固定型用の水性スプレイエア導入口６０に接続されている。第２の水性スプレイエア供給管１１８は、移動型用の水性スプレイエア導入口６２に接続されている。前記第１の油性スプレイエア供給管１２１は、固定型用の油性スプレイエア導入口６１に接続されている。第２の油性スプレイエア供給管１２３は、移動型用の油性スプレイエア導入口６３に接続されている。また、水性離型剤供給管１３３は、スプレイヘッド４０の水性離型剤導入口５４に接続されている。油性離型剤供給管１４４は、スプレイヘッド４０の油性離型剤導入口５３に接続されている。
【００３１】
ロボット３１は、ロボットコントローラ３２によって制御される。このロボットコントローラ３２は、ロボット３１の動きをつかさどる制御用コンピュータプログラムと、制御に使用するデータ等が格納されたメモリなどを有している。ロボットコントローラ３２は、金型２０，２１に応じて予めティーチングされた位置情報に基いてロボット３１のアーム３１ａを移動させながら、金型２０，２１の内面２０ａ，２１ａに向けて、スプレイヘッド４０の各ノズル６８，６９，７８，７９から離型剤を噴霧したり、エア噴出口８１，８２からエアブローを吹き付けるようになっている。
【００３２】
ダイキャスト成形機１０によってダイキャスト製品を製造する成形工程では、ダイプレート駆動機構１５によって金型２０，２１が閉じられ、型締めされた状態のもとで製品の材料である溶融金属がキャビティ２２に供給されることにより、ダイキャスト製品が成形される。そして成形工程の１サイクル毎に、以下に述べるエアブローと離型剤の塗布工程が行なわれる。離型剤の塗布は、図１に示すように金型２０，２１を開けた状態で行なわれる。
【００３３】
次に離型剤の塗布工程の一例について、図７のフローチャートを参照して説明する。  
図７のステップＳ１において、ロボット３１によって金型２０，２１間にスプレイヘッド４０が挿入される。ステップＳ２では、スプレイヘッド４０を固定側金型２０の上部に移動させ、供給機構４１の電磁弁１０２を開けることにより、スプレイヘッド４０のエア噴出口８１から固定側金型２０の内面２０ａに向けてエアブローを吹付ける。これにより、固定側金型２０に付着している鋳ばり等が除去されるとともに、固定側金型２０の清掃がなされる。このエアブロー吹付けは、図１に矢印Ａで示すように、固定側金型２０の上部から下部に向けてスプレイヘッド４０を移動させながら行なう。
【００３４】
図７のステップＳ３では、スプレイヘッド４０を移動側金型２１の上部に移動させ、電磁弁１０４を開けることにより、スプレイヘッド４０のエア噴出口８２から移動側金型２１の内面２１ａに向けてエアブローを吹付ける。これにより、移動側金型２１に付着している鋳ばり等が除去されるとともに、移動側金型２１の清掃がなされる。このエアブローの吹付けは、図１に矢印Ｂで示すように、移動側金型２１の上部から下部に向けてスプレイヘッド４０を移動させながら行なう。
【００３５】
ステップＳ４では、スプレイヘッド４０を再び固定側金型２０の上部に移動させ、供給機構４１の電磁弁１１５を開けることにより、ミキシング用のエアをスプレイヘッド４０のスプレイエア導入口６０に供給する。このエアと、水性離型剤供給管１３３から水性離型剤導入口５４に供給される水性離型剤とが混合されることにより、水性離型剤が水性離型剤用ノズル６８から固定側金型２０に向けて噴霧される。ここで水性離型剤を噴霧する箇所は、後述するステップＳ８において油性離型剤を塗布する箇所を除くようにするとよい。
【００３６】
こうして水性離型剤を固定側金型２０に十分噴霧することにより、固定側金型２０が冷却されるとともに、固定側金型２０の内面２０ａに水性離型剤が付着する。固定側金型２０に対する水性離型剤の噴霧は、図１に矢印Ａで示すように、固定側金型２０の上部から下部に向けてスプレイヘッド４０を移動させながら行なう。
【００３７】
ステップＳ５では、スプレイヘッド４０を移動側金型２１の上部に移動させ、電磁弁１１７を開けることにより、ミキシング用のエアをスプレイヘッド４０のスプレイエア導入口６２に供給する。このエアと、水性離型剤供給管１３３から水性離型剤導入口５４に供給される水性離型剤とが混合されることにより、水性離型剤が水性離型剤用ノズル７８から移動側金型２１に向けて噴霧される。ここで水性離型剤を噴霧する箇所は、後述するステップＳ９において油性離型剤を塗布する箇所を除くようにするとよい。
【００３８】
こうして水性離型剤を移動側金型２１に十分噴霧することにより、移動側金型２１が冷却されるとともに、移動側金型２１の内面２１ａに水性離型剤が付着する。移動側金型２１に対する水性離型剤の噴霧は、図１に矢印Ｂで示すように、移動側金型２１の上部から下部に向けてスプレイヘッド４０を移動させながら行なう。
【００３９】
ステップＳ６では、スプレイヘッド４０を再び固定側金型２０の上部に移動させ、電磁弁１０２を開けることにより、エア噴出口８１から固定側金型２０に向けてエアブローを再び吹付ける。これにより、固定側金型２０に付着している余剰の水性離型剤の水滴等が除去される。このステップＳ６では、下記ステップＳ８において油性離型剤を塗布する箇所にエアブローを念入りに吹付けることにより、油性離型剤を塗布する箇所の水分を飛ばすようにしてもよい。
【００４０】
ステップＳ７では、スプレイヘッド４０を再び移動側金型２１の上部に移動させ、電磁弁１０４を開けることにより、エア噴出口８２から移動側金型２１に向けてエアブローを再び吹付ける。これにより、移動側金型２１に付着している余剰の水性離型剤の水滴等が除去される。このステップＳ７では、下記ステップＳ９において油性離型剤を塗布する箇所にエアブローを念入りに吹付けることにより、油性離型剤を塗布する箇所の水分を飛ばすようにしてもよい。
【００４１】
ステップＳ８では、スプレイヘッド４０を固定側金型２０に向けて移動させ、供給機構４１の電磁弁１２０を開けることにより、ミキシング用のエアをスプレイヘッド４０のスプレイエア導入口６１に供給する。このエアと、油性離型剤供給管１４４から油性離型剤導入口５３に供給される油性離型剤とが混合されることにより、油性離型剤が油性離型剤用ノズル６９から固定側金型２０の内面２０ａに向けて噴霧される。油性離型剤を塗布する箇所は、例えばキャビティ２２のコーナー部のように製品が固着しやすい箇所、あるいはコアピンのように局部的に高温となる金型の高温部であり、これら特定の箇所に向けて油性離型剤が噴霧される。
【００４２】
ステップＳ９では、スプレイヘッド４０を移動側金型２１に向けて移動させ、電磁弁１２２を開けることにより、ミキシング用のエアをスプレイヘッド４０のスプレイエア導入口６３に供給する。このエアと、油性離型剤供給管１４４から油性離型剤導入口５３に供給される油性離型剤とが混合されることにより、油性離型剤が油性離型剤用ノズル７９から移動側金型２１の内面２１ａに向けて噴霧される。油性離型剤を塗布する箇所は、例えばコアピンのように局部的に高温となる金型の高温部や、キャビティ２２のコーナー部のように製品が固着しやすい箇所であり、これら特定の箇所に向けて油性離型剤が噴霧される。そしてステップＳ１０においてスプレイヘッド４０が金型２０，２１間から取出される。
【００４３】
本実施形態のスプレイヘッド４０と供給機構４１とを備えたスプレイ装置３０によれば、成形工程の１サイクル中に金型に応じて水性離型剤と油性離型剤の噴霧を切換えることができる。このためコアピンのように高温となる箇所や、キャビティのコーナー部などのように製品が付着しやすい箇所に必要最小限の油性離型剤を使用することが可能となり、コストの高い油性離型剤の使用量を極力少なくすることができる。また金型の大部分には低コストの水性離型剤を十分吹付けることができることにより、金型を冷却することができる。この水性離型剤は、油性離型剤を噴霧する箇所を避けて噴霧するのがよい。また、油性離型剤を塗布する箇所にエアブローを十分吹付けることにより、油性離型剤を塗布する箇所の水分を飛ばすことが可能である。
【００４４】
以上説明したように本実施形態のスプレイ装置３０による離型剤の塗布は、下記の工程を具備している。  
（１）スプレイヘッド４０を金型２０，２１内に進入させる。  
（２）エア噴出口８１，８２から金型２０，２１に向けてエアブローを吹付ける。  
（３）水性離型剤用ノズル６８，７８により金型２０，２１に水性離型剤を噴霧する。  
（４）エア噴出口８１，８２から金型２０，２１に向けてエアブローを再び吹付ける。  
（５）油性離型剤用ノズル６９，７９によって、金型２０，２１の高温部あるいは製品が固着しやすい箇所に油性離型剤を噴霧する。  
（６）スプレイヘッド４０を金型２０，２１内から退避させる。
【００４５】
なお本発明を実施するに当たって、スプレイヘッドを構成する各部の具体的な形状や配置等を適宜に変更して実施できることは言うまでもない。例えばスプレイヘッドの片側にエアブロー用のエア噴出口と水性離型剤用ノズルと油性離型剤用ノズルとを配置し、一方の金型に離型剤等を噴霧したのち、ロボットアームによってスプレイヘッドを１８０°反転させることにより、他方の金型に離型剤等を噴霧するようにしてもよい。また離型剤とエアをスプレイヘッドへ供給する供給機構についても適宜に変更して実施できるものである。
【符号の説明】
【００４６】
１０…ダイキャスト成形機、２０，２１…金型、３０…スプレイ装置、３１…ロボット、３１ａ…アーム、４０…スプレイヘッド、４１…供給機構、４２…スプレイ制御装置、５０…マニホールド（スプレイヘッド本体）、５１…固定型用のエアブロー導入口、５２…移動型用のエアブロー導入口、５３…油性離型剤導入口、５４…水性離型剤導入口、６０…固定型用の水性スプレイエア導入口、６１…固定型用の油性スプレイエア導入口、６２…移動型用の水性スプレイエア導入口、６３…移動型用の油性スプレイエア導入口、６５…固定型用のエアブロー導管、６６…固定型用の水性離型剤導管、６７…固定型用の油性離型剤導管、６８…水性離型剤用ノズル、６９…油性離型剤用ノズル、７５…移動型用のエアブロー導管、７６…移動型用の水性離型剤導管、７７…移動型用の油性離型剤導管、７８…水性離型剤用ノズル、７９…油性離型剤用ノズル、８１，８２…エア噴出口、９２…水性離型剤供給系、９３…油性離型剤供給系、１０２，１０４…電磁弁（エアブロー供給系）、１１５，１１７…電磁弁（水性スプレイエア供給系）、１２０，１２２…電磁弁（油性スプレイエア供給系）。
【図１】
2014061536.tif 000003
【図２】
2014061536.tif 000004
【図３】
2014061536.tif 000005
【図４】
2014061536.tif 000006
【図５】
2014061536.tif 000007
【図６】
2014061536.tif 000008
【図７】
2014061536.tif 000009